(57)【要約】【課題】客が場に再度来場する意欲の生ずる投票システムを提供すること。【解決手段】前記課題を達成するため、本発明では、ホストコンピュータ２を通信回線を介して端末機と接続し、このホストコンピュータ２が端末機４から伝達された客の投票内容を受信し、発券用データを作成して端末機４へ送信して端末機から投票券を発売する投票ゲーム用システムの前記ホストコンピュータ２において、客の投票情報にもとづき増額券を抽選する増額券抽選手段２１と、前記増額券の増額金額を決定する増額金額決定手段２２と、客から前記増額券が端末機に入力されたとき、この増額券が適中券と一緒に使用されたか否かを判定し、一緒に使用されたとき適中券の払戻金額と増額券の増額分を加算処理する払戻処理手段２３を設けたことを特徴とする。【選択図】図１
2006171844.tif 000002
【特許請求の範囲】
【請求項１】
ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータにおいて、
客の投票情報にもとづき増額券を抽選する増額券抽選手段と、
前記増額券の増額金額を決定する増額金額決定手段と、
客から前記増額券が端末機に入力されたとき、この増額券が適中券と一緒に使用されたか否かを判定し、一緒に使用されたとき適中券の払戻金額と増額券の増額分を加算処理する払戻処理手段を設けたことを特徴とするホストコンピュータ。
【請求項２】
ホストコンピュータを通信回線を介して端末機と接続し、このホストコンピュータが端末機から伝達された客の投票内容を受信し、発券用データを作成して端末機へ送信して端末機から投票券を発券する投票ゲーム用システムの前記ホストコンピュータにおいて、
客の投票情報にもとづき、バウチャ券を抽選するバウチャ券抽選手段と、
当選したバウチャ券の金額を決定するバウチャ金額決定手段と、
客から当選したバウチャ券が入力されたとき、このバウチャ券が適中した投票券と一緒に使用されたか否かを判定し、一緒に使用されたとき適中券の払戻金額にバウチャ券の金額を加算処理するバウチャ券処理機能付き払戻手段を具備したことを特徴とするホストコンピュータ。
【請求項３】
ホストコンピュータを通信回線を介して端末機と接続し、このホストコンピュータが端末機から伝達された客の投票内容を受信し、発券用データを作成して端末機へ送信して端末機から投票券を発券する投票ゲーム用システムの前記ホストコンピュータにおいて、
客が投票券を購入したことに基づき進呈される進呈抽選券を抽選するとともにこの進呈抽選券の有効期間を決定する抽選券進呈抽選機能付有効期間決定手段と、
前記進呈抽選券が適中券とともに払戻しを求めたとき、前記進呈抽選券により抽選を行う進呈抽選券抽選手段と、
この進呈抽選券抽選手段により抽選で適中したとき前記適中券の払戻金額に応じてバウチャ金額を決定するバウチャ金額決定手段と、
前記バウチャ金額と適中券による払戻金額とを加算処理する抽選券処理機能付払戻手段を具備したことを特徴とするホストコンピュータ。
【請求項４】
ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータにおいて、
客が投票券を購入したことに基づき進呈される、適中券の払戻金額をＮ倍（Ｎは１より大きい数）する払戻倍額券を抽選するとともにこの払戻倍額券の有効期間を決定する払戻倍額券進呈抽選機能付有効期間決定手段と、
Ｎ倍された払戻金額の上限を決定する限度金額決定手段と、
前記Ｎの具体的数値を乱数により選択決定する倍数決定手段と、
前記払戻倍数券が適中券とともに払戻を求められたとき、適中券の払戻金額を前記払戻倍額券により定められた倍数の値に増加する払戻処理を行う払戻倍額券処理機能付払戻手段を具備したことを特徴とするホストコンピュータ。
【請求項５】
ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータに、
客の投票情報にもとづき増額券を抽選する増額券抽選手段と、
前記増額券の増額金額を決定する増額金額決定手段と、
客から前記増額券が端末機に入力されたとき、この増額券が適中券と一緒に使用されたか否かを判定し、一緒に使用されたとき適中券の払戻金額と増額券の増額分を加算処理する払戻処理手段の機能を実現させるためのプログラム。
【発明の詳細な説明】
【技術分野】
【０００１】
本発明は、競馬、競輪、競艇、オートレ−ス等の投票ゲームにおいて使用される投票ゲーム用システムのホストコンピュータ、端末機（投票券発売機、払戻機、自動発払機等）及びプログラムに関する。
【背景技術】
【０００２】
例えば、従来、競馬の投票券を購入する場合の説明を図２２〜２６について説明する。図２２、２３は従来の投票券購入例説明図であり、Ａは通常の式別（この例では馬連）の投票カード、Ｂはながし投票カード（この例では１を軸に相手が３，４，５，６，７）、Ｃはボックス投票カード（この例では１，２，３）にそれぞれ記入し、それぞれ図２３（Ａ）に示す通常投票券、同（Ｂ）に示すながし投票券、同（Ｃ）に示すボックス投票券を購入した場合を示す。
【０００３】
図２４は投票券発売、集計システムを示し、図２５は端末機の構成図であり、投票券発売機、自動発売機、自動発払機としての機能を持つもの、図２６は投票券購入時の端末とホストコンピュータ間の上り電文形式（発売機→ホストコンピュータ）、下り電文形式（ホストコンピュータ→発売機）を示す。
【０００４】
従来、競馬の投票券発売集計システムとして図２４に示す如きシステムが使用されていた。このシステムは、センタ装置１００にはホストコンピュータ２００と投票券発売機インターフェース制御装置３００が設けられ、このセンタ装置１００に複数の発売機４００が接続されている。この発売機４００は、投票券発売機、自動発売機、自動発払機等により構成されている。
【０００５】
そして発売機４００には、投票券申し込みマークカード読み取りユニット（ＯＭＲ）１１０、投票券印刷・発券ユニット１２０、紙幣取り込み・つり銭放出ユニット（紙幣還流ユニット）１３０、硬貨識別・つり銭放出ユニット（硬貨還流ユニット）１４０、投票券読取ユニット１５０、客用表示器１６０、客用タッチパネル１７０、制御部１８０、装置制御アプリソフト等を保持するメモリ１９０、ホストインターフェース制御部２０１、オペレータ表示器２１０、オペレータタッチパネル２２０等が具備されている。
【０００６】
いま客が、図２２に示す如き投票カードと、購入用現金を持参し、発売機４００の紙幣読み取り・つり銭放出ユニット１３０、硬貨識別・つり銭放出ユニット１４０に現金を入れると、投票券申し込みマークカード読み取りユニット１１０が開くので、客は投票カードを入れる。
【０００７】
投票カードは投票券申し込みマークカード読み取りユニット１１０でその内容が読み取られ、ＣＰＵで構成される制御部１８０がメモリ１９０で保持されている装置制御アプリケーションソフト（プログラム）の下にこれを解読し、異常がなければホストコンピュータ２００に送出する、例えば図２６に示す如き電文を作成する。この電文はホストインターフェース制御部２０１を経由してセンタ装置１００に送出され、投票券発売機インターフェース制御装置４００を経由してホストコンピュータ２００に送出される。
【０００８】
ホストコンピュータ２００はこの電文を解読して、異常がなければ図２６に示す如き応答電文を作成し、発売機４００に送出する。
【０００９】
発売機４００では、これをホストインターフェース制御部２０１が受信し、メモリ１９０で一旦保持し、制御部１８０がこれを解読して、投票券印刷・発券ユニット１２０に発券指示を行い、図２３に示す如き購入した投票券を発券し、必要に応じて紙幣読み取り・つり銭放出ユニット１３０、硬貨識別、つり銭放出ユニット１４０よりつり銭を客に放出する。このようにして客は所望の投票券を購入することができる。
【００１０】
なお従来の投票券購入時の発売機４００とホストコンピュータ間の上り電文（発売機→ホストコンピュータ）、下り電文（ホストコンピュータ→発売機）について、図２６にもとづき簡単に説明する。
【００１１】
（通常投票の場合）
この場合の上り電文・下り電文は、図２６の（Ａ）に示され、ＳＴＸ（ｓｔａｒｔ  ｏｆ  ｔｅｘｔ）で始まり、ＥＴＸ（ｅｎｄ  ｏｆ  ｔｅｘｔ）、ＢＣＣ（ｂｉｎａｒｙ  ｃｈｅｃｋ  ｃｏｄｅ）で終了する。
【００１２】
上り電文は、ＳＴＸ、上り電文ＡＤ（ａｔｔｅｎｔｉｏｎ  ｄａｔａ）のＩＤ（識別コード）、投票、場、年、回、日、レース番号、投票形式、式別１、組番号上１、組番号下１、金額１、組番号上２、組番号下２、金額２、組番号上３、組番号下３、金額３、組番号上４、組番号下４、金額４、ＥＴＸ、ＢＣＣの順で構成される。
【００１３】
またこの上り電文の応答電文である下り電文は、ＳＴＸ、下り電文ＲＤ（ｒｅｓｐｏｎｓｅ  ｄａｔａ）のＩＤ、投票、投票券暗証番号、投票券連番号、発券許可フラグ、１行目応答フラグ、２行目応答フラグ、３行目応答フラグ、４行目応答フラグ、合計金額、ＥＴＸ，ＢＣＣの順で構成される。
【００１４】
（ながし投票の場合）
この場合の上り電文・下り電文は、図２６の（Ｂ）に示される。
【００１５】
例えば、上り電文では、ＳＴＸ、上り電文ＡＤのＩＤ、投票、場、年、回、日、レース番号、投票形式、式別１、軸番号１、軸番号２、金額、相手番号１〜相手番号１０、ＥＴＸ，ＢＣＣの順で構成される。
【００１６】
また下り電文では、ＳＴＸ、下り電文ＲＤのＩＤ、投票、投票券暗証番号、投票券連番号、発券可能フラグ、軸１応答フラグ、軸２応答フラグ、相手１応答フラグ、相手２応答フラグ、相手３応答フラグ、合計金額、ＥＴＸ、ＢＣＣの順で構成される。
【００１７】
（ボックス投票の場合）
この場合の上り電文・下り電文は、図２６の（Ｃ）に示される。
【００１８】
例えば上り電文では、ＳＴＸ、上り電文ＡＤのＩＤ、投票、場、年、回、日、レ−ス番号、投票形式、式別１、組番号１〜組番号７、合計金額、ＥＴＸ、ＢＣＣの順で構成される。
【００１９】
また下り電文では、ＳＴＸ、下り電文ＲＤのＩＤ、投票、投票券暗証番号、投票券連番号、発券許可フラグ、組番号１応答フラグ〜組番号５応答フラグ、合計金額、ＥＴＸ、ＢＣＣの順で構成される。
【００２０】
なお投票は、この電文が投票に関するものであるという種別を示すものである。
【００２１】
ところで、最近、投票券購入金額に応じて得点を提供する新しいサービスが提案されている。
【００２２】
特許文献１を従来例２として説明する。従来例２では、来場者において初めに現金をバウチャ券（金券）に変換させ、このバウチャ券を用いて投票券の購入を行わせること。投票券購入に際しては、バウチャ券の残高をゼロにすることなく、残高が残っている限り何度でも購入できるようにし、投票券購入後の残高と、発売金額に応じた得点を加算記録した新しいバウチャ券を発行する。
【特許文献１】特開２００３−６６９５号公報
【発明の開示】
【発明が解決しようとする課題】
【００２３】
前記従来の投票ゲームに使用する投票券発売システムでは、客の申し込み内容に応じた投票券だけが購入可能であるため、客についての楽しみが不充分であった。
【００２４】
また前記従来例２では、ポイント制や退場時のプレミアム等に使用可能なものにすぎず、これまた客の楽しみが不充分であった。
【００２５】
したがって、本発明ではこれらの課題を解決するため、客の楽しみをもっと増加して、特に客の再来を促すようにした投票ゲーム用システムを提供するものである。
【課題を解決するための手段】
【００２６】
前記課題を解決するため、本発明では下記のように構成した。
【００２７】
（１）ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータにおいて、客の投票情報に基づき増額券を抽選する増額券抽選手段と、前記増額券の増額金額を決定する増額金額決定手段と、客から前記増額券が端末機に入力されたとき、この増額券が適中券と一緒に使用されたか否かを判定し、一緒に使用されたとき適中券の払戻金額と増額券の増額分を加算処理する払戻処理手段を設けたことを特徴とする。
【００２８】
（２）ホストコンピュータを通信回線を介して端末機と接続し、このホストコンピュータが端末機から伝達された客の投票内容を受信し、発券用データを作成して端末機へ送信して端末機から投票券を発券する投票ゲーム用システムの前記ホストコンピュータにおいて、客の投票情報にもとづき、バウチャ券を抽選するバウチャ券抽選手段と、当選したバウチャ券の金額を決定するバウチャ金額決定手段と、客から当選したバウチャ券が入力されたとき、このバウチャ券が適中した投票券と一緒に使用されたか否かを判定し、一緒に使用されたとき適中券の払戻金額にバウチャ券の金額を加算処理するバウチャ券処理機能付き払戻手段を具備したことを特徴とする。
【００２９】
（３）ホストコンピュータを通信回線を介して端末機と接続し、このホストコンピュータが端末機から伝達された客の投票内容を受信し、発券用データを作成して端末機へ送信して端末機から投票券を発券する投票ゲーム用システムの前記ホストコンピュータにおいて、客が投票券を購入したことに基づき進呈される進呈抽選券を抽選するとともにこの進呈抽選券の有効期間を決定する抽選券進呈抽選機能付有効期間決定手段と、前記進呈抽選券が適中券とともに払戻しを求めたとき、前記進呈抽選券により抽選を行う進呈抽選券抽選手段と、この進呈抽選券抽選手段により抽選で適中したとき前記適中券の払戻金額に応じてバウチャ金額を決定するバウチャ金額決定手段と、前記バウチャ金額と適中券による払戻金額とを加算処理する抽選券処理機能付払戻手段を具備したことを特徴とする。
【００３０】
（４）ホストコンピュータを通信回線を介して端末機と接続し、このホストコンピュータが端末機から伝達された客の投票内容を受信し、発券用データを作成して端末機へ送信して端末客から投票券を発売する投票ゲーム用システムの前記ホストコンピュータにおいて、客が投票券を購入したことに基づき進呈される、適中券の払戻金額をＮ倍（Ｎは１以上の数）する払戻倍額券を抽選すると共にこの払戻倍額券の有効期間を決定する払戻倍額券進呈抽選機能付有効期間決定手段と、Ｎ倍された払戻金額の上限を決定する限度金額決定手段と、前記Ｎの具体的数値を乱数により選択決定する倍数決定手段と、前記払戻倍数券が適中券とともに払戻を求められたとき、適中券の払戻金額を前記払戻倍額券により定められた倍数の値に増加する払戻処理を行う払戻倍額券処理機能付払戻手段を具備したことを特徴とする。
【００３１】
（５）ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータに、客の投票情報にもとづき増額券を抽選する増額券抽選手段と、前記増額券の増額金額を決定する増額金額決定手段と、客から前記増額券が端末機に入力されたとき、この増額券が適中券と一緒に使用されたか否かを判定し、一緒に使用されたとき適中券の払戻金額と増額券の増額分を加算処理する払戻処理手段の機能を実現させるためのプログラムを提供することを特徴とする。
【発明の効果】
【００３２】
（１）本発明によれば増額券は適中券と一緒に払戻に使用しなければ効果がないので、増額券を抽選により入手した客は投票券が適中するまで再来することを促すことになり、場としては売り上げ額の向上を期待できる。
【００３３】
（２）客は、投票券の購入に際して抽選の結果当選すると、的中投票券とセットでのみ用いることができる払戻金額増加券（バウチャ券）をプレゼントされるので、客は何度も投票券を購入して的中投票券を入手しないとこの払戻金増額のバウチャ券の利用ができないため、投票券購入意欲が増大し、投票券の売上向上が期待できると同時に、客の新たな楽しみを提供することができる。
【００３４】
（３）客は、投票券の購入に際して抽選の結果当選すると抽選券を進呈される。客は次の適中券の払戻の際にこの抽選券を用いて当選すると、適中券に対する払戻金に加算された金額を入手できるので、次の適中券を入手するまで投票券を購入しようとするため投票券購入意欲が増大し、投票券購入意欲が増し売上高の向上が期待できると同時に客の新たなる楽しみを提供できる。
【００３５】
（４）客は投票券の購入に際して抽選の結果当選すると払戻金がＮ倍になるサービス券を進呈される。客はこのサービス券と的中券を組み合わせて払戻を受けるとき払戻金はＮ倍されるので楽しみが大きなものとなる。しかし的中しないと効果がなく、また払戻金の少ない適中券に対してはメリットが減少するため、客は払戻金額の大きな適中券を入手するまでその使用を差し控えることになり、これまた投票券の売上高の向上と客の新たな楽しみを提供できる。
【発明を実施するための最良の形態】
【００３６】
以下本発明に係る投票ゲームの原理図を競馬に適用したシステムの場合について図１により説明する。
【００３７】
図中、１はセンタ装置、２はホストコンピュータ、３は投票券発売機インターフェース制御装置（以下インターフェース制御装置という）、４は端末機である。
【００３８】
センタ装置１にはホストコンピュータ２とインターフェース制御装置３が設けられ、また端末機４には投票券発売機、自動発売機、自動発払機等が含まれる。
【００３９】
センタ装置１に設けられたホストコンピュータ２は、インターフェース制御装置３を経由して端末機４が通信回線を介して接続されている。そしてホストコンピュータ２には、客の購入した投票情報にもとづき増額券を抽選する増額券抽選手段２１、前記増額券の増額金額を決定する増額金額決定手段２２、前記増額券が適中券と一緒に使用されたときに増額金額を決定する処理を行って払戻金とともに払戻処理を行う払戻処理手段２３が設けられている。これら増額券抽選手段２１、増額金額決定手段２２、払戻処理手段２３はプログラムで構成され、ホストコンピュータ２を前記各手段として動作させるものである。      
【００４０】
図１（Ａ）の動作を図１（Ｂ）にもとづき投票券購入の場合について説明する。
【００４１】
Ｓ０．客が端末機４の投票券発売機（有人）あるいは自動発売機（無人）を利用して投票カードに必要事項を記入し現金とともに投票券を購入すると、その情報が通信回線を経由してインターフェース制御装置３を介してホストコンピュータ２に伝達される。ホストコンピュータ２は、増額券抽選手段２１が例えば乱数により増額券適中処理つまり抽選処理を行う。
【００４２】
Ｓ１．次にホストコンピュータ２では、増額金額決定手段２２が乱数により、前記Ｓ０で抽選の結果適中した客に対し増額券を発行制御する。このとき、増額券がバウチャ券のとき、この乱数により決定された増加金額例えば５０００円券を発行処理する。増額券が抽選券の場合はその枚数を増額金額決定手段２２が乱数により決定し、例えば１枚に発行制御する。増額券がＮ倍（Ｎは１より大きい数）の倍増券の場合は、増額金額決定手段２２が乱数によりＮの値を決め、Ｎ倍の倍増券を発行制御する。
【００４３】
図１（Ａ）の動作を図１（Ｃ）に基づき、増額券にもとづく払戻処理動作について説明する。
【００４４】
Ｓ２．客は前記増額券を有効に使用するときは適中券と一緒に払戻請求を行うことが必要である。客が端末機４（自動発払機）に払戻請求を行われたとき、これがホストコンピュータ２に伝達され、払戻請求されたものが適中投票券（つまり適中券）かどうか払戻処理手段２３がチェックする。適中券でなければ未払戻処理を行う。
【００４５】
Ｓ３．適中券であれば、増額券と一緒であるか否かチェックされ、一緒でなければ適中券の払戻処理を行う。
【００４６】
Ｓ４．払戻処理手段２３は、適中券と増額券が一緒であれば下記の如き増額処理を行う。増額券が定額プレゼントのバウチャ券であれば、このバウチャ券の金額と適中券の払戻金額の合計額を客に支払うよう端末機４に払戻通知を行う。抽選券であれば払戻処理手段２３は抽選を行って、当選した金額を適中券にもとづく払戻金額との合計額を客に支払うよう端末機４に払戻通知する。Ｎ倍の倍増券であれば適中券の払戻金額の合計額をＮ倍した金額を客に支払うよう端末機４に払戻通知する（例えば、Ｎは１以上の小数点付の数）。このＮ倍金額が規定の値を越えたとき、そのＮ倍額を規定値（例えば５０万円）に抑制することもできる。
【００４７】
Ａ．本発明の実施の形態その１（増額券がバウチャ券の場合）
本発明において、増額券がバウチャ券の場合について、図２〜図７に基づき説明する。図２は本発明のシステム構成図、図３は客が購入した投票券とバウチャ券、図４はバウチャ券が当選した場合の上り電文、下り電文の説明図（その１）、図５はバウチャ券が当選した場合の上り電文、下り電文の説明図（その２）、図６は増額券がバウチャ券の場合の端末機側の動作説明図（その１）、図７は増額券がバウチャ券の場合の端末機側の動作説明図（その２）である。
【００４８】
図中、他図と同符号は同一部を示し、１はセンタ装置、２はホストコンピュータ、３は投票券発売機インターフェース制御装置、４は端末機（投票券発売機、自動発売機、自動発払機を含む）、２１はバウチャ券抽選手段、２２はバウチャ金額決定手段、２３はバウチャ券処理機能付払戻手段、４１は投票券申し込みマークカード読み取りユニット、４２は投票券印刷・発券ユニット、４３は紙幣読み取り・つり銭放出ユニット、４４は硬貨識別・つり銭放出ユニット、４５は投票券・バウチャ券読み取りユニット、４６は客用表示器、４７は客用タッチパネル、４８は制御部、４９は装置制御アプリソフト、５０はホストインターフェース制御手段、５１はオペレータ表示手段、５２はオペレータタッチパネルである。  センタ装置１は客が購入する投票券に対する発券払戻処理を行うものであり、購入した投票券を管理して適中券に対する配当金を計算したり、客が投票券を購入したときバウチャ券を抽選したりバウチャ券の金額を決定したり、客がバウチャ券を用いて払戻要求を行ったときその払戻処理等の処理を行うものであり、ホストコンピュータ２、インターフェース制御装置３等が設けられる。
【００４９】
ホストコンピュータ２は、センタ装置１における前記各制御処理を行うものであり、バウチャ券抽選手段２１、バウチャ金額決定手段２２、バウチャ券処理機能付き払戻手段２３等が具備されている。なおこれら各手段はプログラムであり、ホストコンピュータ２を各プログラムにもとづき各機能に応じて制御するものである。
【００５０】
インターフェース制御装置３はホストコンピュータ２に接続された複数の端末機４から入力されたデータをホストコンピュータ２に送出したり、ホストコンピュータ２から出力されたデータを複数の端末機４に対してそれぞれ分けて送出するデータの入出力制御を行うものである。
【００５１】
端末機４は、投票券発売機、自動発売機、自動発払機を含み、客が投票券申し込み用マークカード（以下投票カード）に記入した投票券申し込み内容を判別してこれをセンタ装置１のホストコンピュータ２に送出したり、ホストコンピュータ２の応答にもとづき購入投票券を発行したり、バウチャ券を発行したり、的中券による払戻要求が行われたときこれをホストコンピュータに通知してその応答にもとづき払戻処理を行ったり、またこの的中券とともにバウチャ券が客からセットで払戻要求されたときこれをホストコンピュータ２に通知してバウチャ券にもとづく払戻処理を行うものである。
【００５２】
このため、端末機４は投票券申し込みマークカード読み取りユニット４１、投票券印・発券ユニット４２、紙幣読み取り・つり銭放出ユニット４３、硬貨識別・つり銭放出ユット４４、投票券・バウチャ券読み取ユニット４５、客用表示器４６、客用タッチパネル、制御部４８、装置制御アプリソフト４９、ホストインターフェース制御手段５０、オペータ表示手段５１、オペレータタッチパネル５２等を有する。
【００５３】
バウチャ券抽選手段２１は客が投票券を購入したとき、これに応じてバウチャ券を例えば乱数により抽選するもので、一定の当選率で適中させるものであり、またバウチャ券の有効期限を、例えば３ヶ月とか、６ヶ月に設定する。
【００５４】
バウチャ金額決定手段２２は、バウチャ券抽選手段２１によりバウチャ券の抽選が行われ的中したとき、この的中に対するバウチャ金額を決定するものであり、例えば乱数により決定する。図３（Ｄ）は当選したバウチャ券の金額が５０００円の場合を示している。      
【００５５】
バウチャ券処理機能付き払戻手段２３は、端末機４において客が競馬に対する的中券を提出したときの払戻処理を行うものであり、的中券単独か、的中券とバウチャ券が一緒に提出されたものか等に応じて的中券単独の場合は的中券に対する払戻処理を行い、的中券とバウチャ券が同時に提出された場合は的中券の金額とバウチャ券の金額を加算処理した払戻処理を行い、バウチャ券のみの場合はバウチャ券に対する払戻処理を行わないように処理する。
【００５６】
なお、前記バウチャ券抽選手段２１、バウチャ金額決定手段２２、バウチャ券処理機能付き払戻手段２３はプログラムであり、ホストコンピュータ２をこのプログラムにもとづき、前記の如く動作させるものである。
【００５７】
投票券申し込みマークカード読み取りユニット４１は、前記図２２に示す如き、客が投票カードに記入したマークを読み取り、これを制御回路４８に送出するものであって、光学的マークリーダで構成されている。
【００５８】
投票券印刷・発券ユニット４２は、客が前記図２２に示す如き投票カードに記入した投票券購入事項にもとづき、センタ装置１のホストコンピュータ２が購入投票券の発券許可により購入投票券を印刷するとともに、客がこの投票券購入にもとづきホストコンピュータ２で抽選が行われてバウチャ券が当選したときホストコンピュータ２の指示にもとづき図３（Ｄ）に示す如き、金額と有効期間の記入された当選したバウチャ券を印刷するものである。なお投票券、当選したバウチャ券には２次元バーコードＢＣでも必要な情報が正方形領域に印刷されている。
【００５９】
紙幣読み取り・つり銭放出ユニット４３は、客が挿入した紙幣を読み取りその金額や真偽を認識したり、ホストコンピュータ２の指示にもとづき客に払戻金を支払ったり、投票券の購入金額よりも客から挿入された金額が多い場合つり銭を放出するものであり、運用の最初につり銭用として補充され保持した紙幣のみでなく、客が投票券の購入に際し挿入した紙幣も還流してこの適中投票券・バウチャ券の払戻処理に使用するものである。
【００６０】
硬貨識別・つり銭放出ユニット４４は、客が使用した硬貨を読み取りその金額や真偽を認識したり、ホストコンピュータの指示により払戻金を支払ったりつり銭を支払うものであり、運用の最初に保持した硬貨のみでなく、客が投票券購入に際して使用した硬貨も還流して使用するものである。
【００６１】
投票券・バウチャ券読み取ユニット４５は、客が端末機４に挿入した投票券・バウチャ券の２次元バーコードＢＣを読み取り、これを制御部４８に伝達するものである。
【００６２】
客用表示器４６は、客に対する案内表示を行うものであり、投票券の購入に際しては先ずお金の投入を求め次に投票カードの挿入を求める等の案内表示を行うものであり、例えば液晶表示パネルで構成される。
【００６３】
客用タッチパネル４７は、客が投票券の購入や的中券・バウチャ券等の払戻を求めるときに操作するものであり、例えば静電式タッチパネルや光電式タッチパネル或いはキーボード等により構成される。
【００６４】
制御部４８は、端末機４に対して客が投票券購入や的中券に対する払戻処理を行ったとき、端末機４におけるこれら投票券の購入処理や払戻処理の制御を行うものであり、プロセッサにより構成される。
【００６５】
装置制御アプリソフト４９は、端末機４において客が投票券購入や的中券に対する払戻処理を行ったとき、制御部４８がこれに対する制御を行うためのプログラムが格納されるものであり、メモリで構成される。
【００６６】
ホストインターフェース制御手段５０は端末機４とホストコンピュータ２間のデータを送受信処理を行うものであって、後述するように、図４、図５に示す如き電文が送受信されるものである。
【００６７】
オペレータ表示器５１は、オペレータに対する各種の情報を表示するものであり、例えば客に対する払戻準備金残量の不足状態等を表示するものである。
【００６８】
オペレータタッチパネル５２は、オペレータが端末機４を操作するための処理を行うものである。
【００６９】
次に客が通常投票でバウチャ券が当選した場合、ながし投票でバウチャ券が当選した場合、ボックス投票でバウチャ券が当選した場合、バウチャ券が端末機で使用された場合の、端末機４とホストコンピュータ２間の電文について説明する。
【００７０】
（１）通常投票の場合
通常投票の場合、端末機４からホストコンピュータ２に送出される上り電文は図４（Ａ）の如く構成される。上り電文では、ＳＴＸ、上り電文ＡＤのＩＤ（識別コード）、投票、場、年、回、日、レース番号、投票形式、式別１、組番号上１、組番号下１、金額１、組番号上２、組番号下２、金額２、組番号上３、組番号下３、金額３、組番号上４、組番号下４、金額４、ＥＴＸ、ＢＣＣが記入される。
【００７１】
またこれに対しホストコンピュータ２から端末機４に送出される下り電文は、図４（Ａ）に示す如く、ＳＴＸ、下り電文ＲＤのＩＤ、投票、投票券暗証番号、投票券連番号、発券許可フラグ、１行目応答フラグ、２行目応答フラグ、３行目応答フラグ、４行目応答フラグ、合計金額、的中フラグ、的中金額１〜的中金額７、有効期間ｙ、ｙ、有効期間ｍ、ｍ、有効期間ｄ、ｄ、ＥＴＸ、ＢＣＣが記入される。
【００７２】
下り電文において的中フラグはバウチャ券が的中したか否かを示すもので０のとき不的中を示し、１のときバウチャ券が的中していることを示す。的中金額１〜７は的中したバウチャ券の金額を示すもので、不的中のときは「０００００００」が記入され、的中時のときはその金額が「１，２３４，５６７円」として的中金額１が最上位、的中金額７が最下位を示し、例えば１０００円の場合は「０，００１，０００円」が記入される。またこのバウチャ券の有効期限が有効期間ｙ、ｙ、ｍ、ｍ、ｄ、ｄで示される。有効期間はｙ、ｙで年を、次のｍ、ｍで月を、そしてｄ、ｄで日を示し、全体で年、月、日を示す。
【００７３】
（２）ながし投票の場合
ながし投票の場合、端末機４からホストコンピュータ２に送出される上り電文は、図４（Ｂ）の如き構成される。上り電文ではＳＴＸ、上り電文ＡＤのＩＤ、投票、場、年、回、日、レース番号、投票形式、式別１、軸番号１、軸番号２、金額、相手番号１〜相手番号１０、ＥＴＸ、ＢＣＣが記入される。
【００７４】
これに対しホストコンピュータ２から端末機４に送出される下り電文は、図４（Ｂ）に示す如く、ＳＴＸ、下り電文ＲＤのＩＤ、投票、投票券暗証番号、投票券連番号、発券許可フラグ、軸１応答フラグ、軸２応答フラグ、相手１応答フラグ、相手２応答フラグ、相手３応答フラグ、合計金額、的中フラグ、的中金額１〜的中金額７、有効期間ｙ、ｙ、有効期間ｍ、ｍ、有効期間ｄ、ｄ、ＥＴＸ、ＢＣＣが記入される。
【００７５】
下り電文において的中フラグ、的中金額１〜的中金額７、有効期間ｙ、ｙ〜有効期間ｄ、ｄは前記図４（Ａ）で説明した通常投票の場合と同様である。
【００７６】
（３）ボックス投票の場合
ボックス投票の場合、端末機４からホストコンピュータに送出される上り電文は、図５（Ａ）の如く構成される。上り電文ではＳＴＸ、上り電文ＡＤのＩＤ、投票、場、年、回、日、レース番号、投票形式、式別１、組番号１、組番号２、組番号３、組番号４、組番号５、組番号６、組番号７、合計金額、ＥＴＸ、ＢＣＣが記入される。
【００７７】
これに対しホストコンピュータ２から端末機４に送出される下り電文は、図５（Ａ）に示す如く、ＳＴＸ、下り電文ＲＤのＩＤ、投票、投票券暗証番号、投票券連番号、発券許可フラグ、組番号１応答フラグ、組番号２応答フラグ、組番号３応答フラグ、組番号４応答フラグ、組番号５応答フラグ、合計金額、的中フラグ、的中金額１〜的中金額７、有効期間ｙ、ｙ、有効期間ｍ、ｍ、有効期間ｄ、ｄ、ＥＴＸ、ＢＣＣが記入される。
【００７８】
下り電文において、的中フラグ、的中金額１〜的中金額７、有効期間ｙ、ｙ〜有効期間ｄ、ｄは前記説明と同様である。
【００７９】
（４）バウチャ券が端末機で使用された場合
バウチャ券が端末機で使用された場合、端末機４では投票券・バウチャ券読み取ユニット４５がこれを読み取り、制御回路部１５０が図５（Ｂ）に示す如き上り電文を作成する。この場合の上り電文は、ＳＴＸ、上り電文ＡＤのＩＤ、バウチャ、的中金額１〜的中金額７、有効期間ｙ、ｙ、有効期間ｍ、ｍ、有効期間ｄ、ｄ、ＥＴＸ、ＢＣＣが記入される。なおバウチャは、この電文がバウチャ券に関するものであるという種別を示すものである。
【００８０】
これに対しホストコンピュータから端末機４に対して、図５（Ｂ）に示す如き下り電文が送出される。下り電文には、ＳＴＸ、下り電文ＲＤのＩＤ、バウチャ、集計フラグ、的中金額１〜的中金額７、ＥＴＸ、ＢＣＣが記入される。
【００８１】
下り電文において集計フラグは、「１」はホストコンピュータ２でバウチャ券の金額を集計したことを示し、「２」は有効期間切れのためバウチャー券使用不可であることを示し、「３」はバウチャ券取扱い外であることを示す。
【００８２】
次に図２に示す端末機４が、増額券としてバウチャ券を発券する場合について、図６により端末機側の動作を説明する。
【００８３】
Ｓ１．端末機４に電源を投入する。端末機４はホストコンピュータより場、年、回、日、出走表など発売データのオンライン取得を行う。またホストコンピュータより発売開始指示を受信する。これにより端末機４は発売開始表示を客用表示機４６に行う。
【００８４】
Ｓ２．端末機４は、客が現金を投入されたか否かを待つ。
【００８５】
Ｓ３．現金が投入されたことを紙幣読み取り・つり銭放出ユニット４３、硬貨識別・つり銭放出ユニット４４等で認識すると、端末機４は投票券申し込みカードがあるか否かを投票券申し込みマークカード読み取りユニット４１で認識する。
【００８６】
Ｓ４．投票券申し込みマークカード読み取りユニット４１がこの存在を認識すると、この投票申し込みカードの内容を読み取る。そして前記Ｓ１でオンライン取得した発売データと投票申し込みカードの内容を制御部４８が比較する。
【００８７】
Ｓ５．投票申し込みカードの内容が発売データの範囲外であれば、制御部４８はこれを客用表示器４６に表示して、客はこれにもとづき客用タッチパネル４７より入力済みデータを修正する。
【００８８】
Ｓ６．発売データの範囲外でなければ、制御部４８は、前記図４（Ａ）に示す如き、投票アテンションデータ（上り電文）を作成する。また前記Ｓ５において客が入力データを修正し、発売データの範囲内になった場合も、同様に投票アテンションデータを作成する。
【００８９】
Ｓ７．そしてこのように作成された投票アテンションデータをホストインターフェース制御手段５０を経由して投票券発売機インターフェース制御装置３に送信され、ホストコンピュータ２に受信される。
【００９０】
Ｓ８．ホストコンピュータ２では、バウチャ券抽選手段２１が例えば乱数にもとづきバウチャ券の抽選を行う。的中すればバウチャ金額決定手段２２が、例えば乱数にもとづきバウチャ金額を決定する。それからホストコンピュータ２では、図４（Ａ）に示す如き投票レスポンスデータ（下り電文）を作成し、投票券発売機インターフェース制御装置３を経由して端末機４にこれを送信する。端末機４ではこの投票レスポンスデータを受信する。
【００９１】
Ｓ９．端末機４では、この下り電文を制御部４８が解読する。そして発券可応答でなければ制御部４８は客用表示器４６でこの発券不可能表示とエラー箇所を表示する。そして前記Ｓ５に戻り、タッチパネル４７より入力済みデータの修正を求める。発券可応答であれば制御部４８は投票印刷データを作成する。そして投票券印刷・発券ユニット４２にこの投票券印刷データを渡す。これにより投票券印刷・発券ユニット４２により投票券を印刷し、発券処理を行う。
【００９２】
Ｓ１０．この下り電文においてバウチャ券の的中応答があればつまり的中フラグが「１」であれば、制御部４８は以下の応答処理を行う。バウチャ券の的中応答がなければ後述するＳ１２に移る。
【００９３】
Ｓ１１．すなわち、制御部４８は、的中金額と、有効期間等を解読し、図３（Ｄ）に示す如き、的中バウチャ券の印刷用データを作成する。そしてこれを投票券印刷・発券ユニット４２に渡す。これにより投票券印刷・発券ユニット４２はバウチャ券を印刷し、発券処理を行う。
【００９４】
Ｓ１２．前記Ｓ１０またはＳ１１による接客処理が終了しなければ、前記Ｓ３を繰り返す。接客処理が終了であれば次のＳ１３に移行する。
【００９５】
Ｓ１３．接客処理が終了すれば、制御部４８は投票合計金額を計算する。そして客からの入金額と比較し精算処理を行い、つり銭が必要な場合は、紙幣読み取り・つり銭放出ユニット４３、硬貨識別・つり銭放出ユニット４４よりつり銭を放出する。
【００９６】
Ｓ１４．発売処理が終了すれば端末機４は停止する。発売処理が継続していれば、前記Ｓ２に戻り、継続する。
【００９７】
Ｓ１５．前記Ｓ２において投入されたものが現金でなければ、Ｓ１６に移行する。
【００９８】
Ｓ１６．前記Ｓ１５において、投入されたものが現金でなければ、制御部４８は投票券・バウチャ券読み取りユニット４５からの読み取りデータを解読して投票券を読み込んだか否かを判断する。
【００９９】
Ｓ１７．投票券を読み込んでいれば、投票券データをホストコンピュータ２に送信する。そしてホストコンピュータからの投票券の判定データを受信する。
【０１００】
Ｓ１８．的中券であると判定すれば、制御部４８は払戻金に的中金額を加算し、的中フラグをオンにする。そして投票券の払戻済み処理（穴開け廃券処理）を行う。
【０１０１】
Ｓ１９．前記Ｓ１８において的中券でなければ、投票券返却処理を行う。
【０１０２】
Ｓ２０．払戻投票券の処理が終わり、精算キーが押されたら、制御部４８は払戻金計数指示と、払戻金放出指示を出す。そして紙幣読み取り・つり銭放出ユニット４３、硬貨識別・つり銭放出ユニット４４より払戻金が放出され、客がこれを受取れば前記Ｓ２に戻る。また払戻投票券が残っており、あるいは精算キーが押されていなければ前記Ｓ１６に戻る。
【０１０３】
Ｓ２１．前記Ｓ１６において読み込んだものが投票券でなければバウチャ券を読み込んだか否かを識別する。
【０１０４】
Ｓ２２．バウチャ券であれば的中フラグがオンか否かを識別する。的中フラグがオンであれば、バウチャ券データをホストコンピュータ２に送信する。ホストコンピュータ２からバウチャ券の判定データを受信する。
【０１０５】
Ｓ２３．そして集計済みか否か判断し、集計済みであれば払戻金にバウチャ券の金額を加算する。そして前記Ｓ２０にもどる。
【０１０６】
Ｓ２４．前記Ｓ２１において、バウチャ券の読み込みでなければ、Ｓ２に戻る。
【０１０７】
Ｓ２５．前記Ｓ２２において、的中フラグがオンでなければ、制御部４８は、エラー表示を客用表示器４６に指示し、例えば「この券は的中券と一緒でないとご利用できません。」と表示する。そしてバウチャ券を客に返却する。そして前記Ｓ２に戻る。
【０１０８】
Ｓ２６．また前記Ｓ２３において集計済みでなければ、制御部４８は、客用表示器４６に対し、有効期限切れ、またはバウチャ券取扱い外等のエラー表示を行う。
【０１０９】
Ｂ．本発明の実施の形態その２（増額券が抽選券の場合）
本発明において、増額券が抽選券の場合について、図８〜図１２にもとづき説明する。図８は本発明の実施の形態その２のシステム構成図、図９は客が購入した投票券と的中券用バウチャ（抽選券）、図１０は抽選券が的中した場合の上り電文、下り電文の説明図、図１１は増額券が抽選券の場合の端末機側の動作説明図（その１）、図１２は増額券が抽選券の場合の端末機側の動作説明図（その２）である。
【０１１０】
図中他図と同符号は同一部分を示し、２３は抽選券進呈抽選機能・有効期間決定手段、２４は進呈抽選券の抽選手段、２５は抽選券処理機能付き払戻手段、５４は投票券・抽選券読み取りユニットである。
【０１１１】
センタ装置１は、客が購入する投票券に対する発券払戻処理を行うものであり、的中券に対する配当金を計算したり、客が投票券を購入したとき増額券としての抽選券を抽選したり、客から的中券に対して払戻要求が行われたとき抽選券が使用されていればその抽選券に対する払戻金の増額処理を行うものであり、ホストコンピュータ２、投票券発売機インターフェース制御装置３等が設けられている。
【０１１２】
ホストコンピュータ２はセンタ装置１における前記各制御・処理を行うものであり、抽選券進呈抽選機能・有効期間決定手段２３、進呈抽選券の抽選手段２４、バウチャ金額決定手段２２、抽選券処理機能付払戻手段２５等が具備されている。
【０１１３】
端末機４は、投票券発売機、自動発売機・自動発払機を含み、客が投票カードに記入した投票券申し込み内容を判別してこれをセンタ装置１のホストコンピュータ２に送出したり、ホストコンピュータ２の応答にもとづき購入投票券を発行したり、抽選券を発行したり、的中券による払戻要求が行われたときこれをホストコンピュータに通知してその応答にもとづき払戻処理を行ったり、またこの的中券とともに抽選券がセットされて払戻要求が行われた場合、これにもとづく抽選を行って払戻金を増額する等の払戻処理を行うものである。
【０１１４】
このため端末機４は、投票券申し込みマークカード読み取りユニット４１、投票券印刷・発券ユニット５３、紙幣読み取り・つり銭放出ユニット４３、硬貨識別・つり銭放出ユニット４４、投票券・抽選券・抽選券読み取りユニット５４、客用表示器４６、客用タッチパネル４７、制御部４８、装置制御アプリソフト４９、ホストインターフェース制御５０、オペレータ表示手段５１、オペレータタッチパネル５２等が具備される。
【０１１５】
抽選券進呈抽選機能有効期間決定手段２３は、客が投票券を購入したとき、これに応じて図９（Ｄ）に示す如き、抽選券を進呈するための抽選を例えば乱数にもとづき行うとともに、その抽選券の有効期間を決定するものであり、有効期間は例えば 6ヶ月に定める。      
【０１１６】
進呈抽選券の抽選手段２４は、客が的中券とともにこの進呈された抽選券を投入したとき進呈抽選券にもとづく抽選を例えば乱数に基づき抽選を行うものである。その抽選結果にもとづく金額は、後述する如くバウチャ金額決定手段２２により決定される。
【０１１７】
抽選券処理機能付き払戻手段２５は、進呈された抽選券について前記の如く金額が決定されたとき、その支払処理及び的中券に対する払戻処理を行うものである。
【０１１８】
なお、前記抽選券進呈抽選機能有効期間決定手段２３、抽選券処理機能付き払戻手段２５はホストコンピュータ２のプログラムの一部である。またバウチャ金額決定手段２２は、第２の抽選で当選した場合、プレゼントする金額を決定する機能であり、１０００円等の定額、１０００円、２０００円、３０００円等テーブルよりランダムに選択する、購入金額相当の金額より選択できる。
【０１１９】
投票券印刷・発券ユニット５３は、客が投票カードに記入した投票券購入事項にもとづき、ホストコンピュータ２からの発券許可により購入すべき投票券を印刷発行するとともに、ホストコンピュータ２の指示にもとづき、図９（Ｄ）に示す如き、有効期間の記入された抽選券を発行するものである。図９（Ａ）〜（Ｄ）に示す投票券、抽選券の２次元バーコードＢＣには、文字，数字で表示された投票券、抽選券としての必要な情報が記入されている。
【０１２０】
端末機４に設けられた投票券・抽選券読み取りユニット５４は、図９（Ａ）〜（Ｃ）に示す如く、投票券に記入された２次元バーコードＢＣ、あるいは図９（Ｄ）に示す如く、進呈された抽選券に記入された２次元バーコードＢＣを読み取るものである。
【０１２１】
次に図１０により、投票カードで投票券を購入し、抽選券が当った場合の電文について説明する。
【０１２２】
（１）通常投票の場合、
通常投票の場合、端末機４からホストコンピュータ２に送出される上り電文は図１０（Ａ）の如く構成される。上り電文では、ＳＴＸ、上り電文ＡＤのＩＤ、投票、場、年、回、日、レース番号、投票形式、式別１、組番号上１、組番号下１、金額１、組番号上２、組番号下２、金額２、組番号上３、組番号下３、金額３、組番号上４、組番号下４、金額４、ＥＴＸ、ＢＣＣが記入される。
【０１２３】
これに対しホストコンピュータ２から端末機４に送出される下り電文は、図１０（Ａ）に示す如く、ＳＴＸ、下り電文ＲＤのＩＤ、投票、投票券暗証番号、投票券連番号、発券許可フラグ、１行目応答フラグ、２行目応答フラグ、３行目応答フラグ、４行目応答フラグ、合計金額、的中フラグ、有効期間ｙ、ｙ、有効期間ｍ、ｍ、有効期間ｄ、ｄ、ＥＴＸ、ＢＣＣが記入される。
【０１２４】
下り電文において、的中フラグが０のとき不的中を示し、２のとき抽選券的中を示す。有効期間は不的中時は００００００であり、的中時はｙｙｍｍｄｄ（年月日）が記入される。
【０１２５】
（２）抽選券が端末機で使用された場合
抽選券が端末機４で使用された場合、端末機４では、投票券・抽選券読み取りユニット５４がこれを読み取り、制御部４８が図１０（Ｂ）に示す如き上り電文を作成する。この場合の上り電文は、ＳＴＸ、上り電文ＡＤのＩＤ、抽選、有効期間ｙ、ｙ、有効期間ｍ、ｍ、有効期間ｄ、ｄ、ＥＴＸ、ＢＣＣが記入される。
【０１２６】
これに対して、ホストコンピュータ２から端末機４に対し図１０（Ｂ）に示す如き下り電文が送出される。下り電文には、ＳＴＸ、下り電文ＲＤのＩＤ、抽選、判定フラグ、的中金額１〜的中金額７、ＥＴＸ、ＢＣＣが記入される。
【０１２７】
下り電文において判定フラグが「１」は抽選の結果的中した、ホストコンピュータ２で的中金額を集計したことを示し、「２」は有効期間切れのため抽選券の使用が不可であることを示し、「３」は抽選券の取扱い外であることを示す。
【０１２８】
的中金額は的中金額１〜７の桁で示され、例えば１０００円の場合は０，００１，０００円で記入される。
【０１２９】
次に図８に示す端末機４が増額券として抽選券を発券する場合について図１１、図１２により、端末機側の動作を説明する。
【０１３０】
Ｓ１．端末機４に電源を投入する。端末機４はホストコンピュータ２より場、年、回、日、出走表など、発売データのオンライン取得を行う。またホストコンピュータ２より発売開始指示を受信する。これにより端末機４は発売開始表示を客用表示器４６に行う。
【０１３１】
Ｓ２．端末機４は、客に現金を投入されたか否かを待つ。
【０１３２】
Ｓ３、現金が投入されたことを紙幣読み取り・つり銭放出ユニット４３、硬貨識別・つり銭放出ユニット４４等で認識すると、端末機４は投票券申し込みカードがあるか否かを投票券申し込みマークカード読み取りユニット４１で認識する。
【０１３３】
Ｓ４．投票券申し込みマークカード読み取りユニット４１がこの存在を認識すると、この投票券申し込みカードの内容を読み取る。そして前記Ｓ１でオンラインで取得した発売データと投票申し込みカードの内容を制御部４８が比較する。
【０１３４】
Ｓ５．投票申し込みカードの内容が発売データの範囲外であれば、制御部４８はこれを客用表示器４６に表示して、客はこれにもとづき客用タッチパネル４７より入力済みデータを修正する。
【０１３５】
Ｓ６．発売データの範囲外でなければ、制御部４８は、前記図１０（Ａ）に示す如き、投票アテンションデータ（上り電文）を作成する。また前記Ｓ５において客が入力データを修正し、発売データの範囲内になった場合も、同様に投票アテンションデータを作成する。
【０１３６】
Ｓ７．そしてこのように作成された投票アテンションデータをホストインターフェース制御手段５０を経由して投票券発売機インターフェース制御装置３に送信し、ホストコンピュータ２に受信される。
【０１３７】
Ｓ８．ホストコンピュータ２では、抽選券進呈抽選機能・有効期間決定手段２３が、例えば乱数にもとづき抽選券進呈の抽選を行う。的中すればホストコンピュータ２が図１０（Ａ）に示す如き、下り電文を作成する。このとき的中フラグは「２」が記入される。これが端末機４に受信される。
【０１３８】
Ｓ９．制御部４８では、この下り電文を解読し、発券可応答でなければ客用表示器４６でこの発券不可能表示とエラー箇所を表示する。そして前記Ｓ５に戻りタッチパネル４７より入力済みデータの修正を求める。発券可応答であれば、制御部４８は投票印刷データを作成する。そして投票券印刷・発券ユニット５３にこの投票券印刷データを渡す。これにより投票券印刷・発券ユニット５３により投票券を印刷し、発券処理を行う。
【０１３９】
Ｓ１０．この下り電文において、抽選券の的中応答があれば、つまり的中フラグが「２」であれば、制御部４８は以下の応答を行う。抽選券の的中応答がなければ後述するＳ１２に移る。
【０１４０】
Ｓ１１．すなわち制御部４８は、的中フラグと有効期間等を解読し、図９（Ｄ）に示す如き、的中券用バウチャ券の印刷用データを作成する。そしてこれを投票券印刷・発券ユニット５３に渡す。これにより投票券印刷・発券ユニット５３は、図９（Ｄ）に示す如き、２次元バーコードＢＣに必要事項の記入された抽選券を印刷し、発券処理を行う。
【０１４１】
Ｓ１２．前記Ｓ１０またはＳ１１による接客処理が終了しなければ、前記Ｓ２を繰り返す。接客処理が終了であれば次のＳ１３に移行する。
【０１４２】
Ｓ１３．接客処理が終了すれば、制御部４８は投票合計金額を計算する。そしてその客から入金額と比較し精算処理を行い、つり銭が必要な場合は、紙幣読み取り・つり銭放出ユニット４３、硬貨識別・つり銭放出ユニット４４よりつり銭を放出する。
【０１４３】
Ｓ１４．発売処理が終了すれば端末機４は停止する。発売処理が終了しなければ前記Ｓ２に戻り、継続する。
【０１４４】
Ｓ１５．前記Ｓ２において、投入されたものが現金でなければ、Ｓ１６に移行する。
【０１４５】
Ｓ１６．前記Ｓ１５において、投入されたものが現金でなければ、制御部４８は投票券・抽選券読み取りユニット５４からの読み取りデータを解読して投票券を読み込んだか否かを判断する。
【０１４６】
Ｓ１７．投票券を読み込んでいれば、投票券データをホストコンピュータ２に送信する。そしてホストコンピュータ２からの投票券の判定データを受信する。
【０１４７】
Ｓ１８．的中券であると判定すれば、制御部４８は払戻金に的中金額を加算し、的中フラグをオンにする。そして投票券の払戻済み処理（穴開け廃券処理）を行う。
【０１４８】
Ｓ１９．前記Ｓ１８において的中券でなければ、投票券返却処理を行う。
【０１４９】
Ｓ２０．払戻投票券の処理が終わり、精算キーが押されたら、制御部４８は払戻金計数指示と、払戻金放出指示を出す。そして紙幣読み取り・つり銭放出ユニット４３、硬貨識別・つり銭放出ユニット４４より払戻金が放出され、客がこれを受取れば前記Ｓ２に戻る。また払戻投票券が残っており、あるいは精算キーが押されていなければ前記Ｓ１６に戻る。
【０１５０】
Ｓ２１．前記Ｓ１６において読み込んだものが投票券でなければ抽選券を読み込んだか否かを識別する。
【０１５１】
Ｓ２２．抽選券であれば的中フラグがオンか否かを識別する。的中フラグがオンであれば抽選券データをホストコンピュータに送信する。ホストコンピュータ２から抽選券の判定データを受信する。
【０１５２】
Ｓ２３．それから抽選券が有効期間内であってかつ的中しているか否かを判断し、有効期間内でかつ的中していれば払戻金に抽選結果の金額を加算する。そして当たり表示と的中金額表示を行い、前記Ｓ１６に戻る。
【０１５３】
Ｓ２４．前記Ｓ２１において抽選券を読み込んでいなければ前記Ｓ２に戻る。
【０１５４】
Ｓ２５．前記Ｓ２２において的中フラグがオンでなければ、制御部４８はエラー表示を客用表示器４６に指示し、例えば「この券は的中券と一緒でないとご利用できません。」と表示する。そして抽選券を返却する。
【０１５５】
Ｓ２６．また前記Ｓ２３において有効期間外であったり的中していなければ、制御部４８は有効期限切れ表示を行ったり、バウチャ券取扱い外のエラー表示を行う。
【０１５６】
Ｃ．本発明の実施の形態その３の第１の例（増額券が払戻倍額券の場合で払戻投票券データと払戻倍額券データを分けてホストコンピュータに送信する場合）
本発明において、増額券が払戻倍額券の場合について、図１３〜図２０にもとづき説明する。図１３は本発明の実施の形態その３のシステム構成図、図１４は客が購入した投票券と払戻倍額券、図１５は倍額券が的中した場合の上り電文、下り電文の説明図、図１６は払戻倍額券を使用した場合の上り電文、下り電文の説明図、図１７は増額券が払戻倍額券の場合の端末側の動作説明図（第１例その１）、図１８は増額券が払戻倍額券の場合の端末側の動作説明図（第１例その２）、図１９は増額券が払戻倍額券の場合の上り電文、下り電文の説明図（その２）、図２０は増額券が払戻倍額券の場合の端末側の動作説明図（第２例その１）、図２１は増額券が払戻倍額券の場合の端末側の動作説明図（第２例、その２）である。
【０１５７】
図中他図と同符号は同一部分を示し、２６は払戻倍額券進呈抽選機能有効期間決定手段、２７は限度金額決定手段、２８は倍数決定手段、２９は払戻倍額券処理機能付払戻手段、５５は投票券印刷・発券ユニット、５６は投票券・抽選券読み取りユニットである。
【０１５８】
センタ装置１は、客が購入する投票券に対する発券払戻処理を行うものであり、的中券に対する配当金を計算したり、客が投票券を購入したとき増額券としての払戻倍額券を抽選により進呈したり、客から的中券に対して払戻要求が行われたとき払戻倍額券が使用されていればこの払戻倍額券に記入の倍率だけ払戻金の増額処理等を行うものであり、ホストコンピュータ２、投票券発売機インターフェース制御装置３等が設けられている。
【０１５９】
ホストコンピュータ２はセンタ装置１における前記各制御・処理を行うものであり、払戻倍額券進呈抽選機能有効期間決定手段２６、限度金額決定手段２７、倍数決定手段２８、払戻倍額券処理機能付払戻手段２９等が具備されている。
【０１６０】
端末機４は、投票券発売機、自動発売機、自動発払機を含み、客が投票カードに記入した投票券申し込み内容を判別してこれをセンタ装置１のホストコンピュータ２に送出したり、ホストコンピュータ２の応答にもとづき購入投票券を発行したり、払戻倍額券を発行したり、的中券による払戻要求が行われたとき、これをホストコンピュータ２に通知してその応答にもとづき払戻処理を行ったり、またこの的中券とともに払戻倍額券がセットされて払戻要求が行われた場合、的中券に対する払戻金を払戻倍額券に記入された数値だけ倍額する等の払戻処理を行うものである。
【０１６１】
このため端末機４には、投票券申し込みマークカード読み取りユニット４１、投票券印刷・発券ユニット５５、紙幣読み取り・つり銭放出ユニット４３、硬貨識別・つり銭放出ユニット４４、投票券・抽選券読み取りユニット５６、客用表示器４６、客用タッチパネル４７、制御回路部４８、装置制御アプリソフト４９、ホストインターフェース制御５０、オペレータ表示手段５１、オペレータタッチパネル５２等が具備される。
【０１６２】
払戻倍額券進呈抽選機能有効期間決定手段２６は、客が投票券を購入したとき、これに応じて図１４（Ｄ）に示す如き、払戻倍額券を進呈するための抽選を、例えば乱数にもとづき行うとともにその払戻倍額券の有効期間を決定するものであって、有効期間は例えば３ヶ月あるいは６ヶ月に適宜定めるもので、ホストコンピュータのプログラムの一部である。
【０１６３】
限度金額決定手段２７は、的中券の払戻金額に払戻倍額券の数値を乗じた値が大きくなり過ぎると賭博性が高くなるなど好ましくない面も生じることがあるので払戻金に上限を定めるものであり、例えば上限を５０万円と適宜定めるものである。
【０１６４】
倍数決定手段２８は、当選して払戻倍額券の倍額数値を適宜決めるものでありあらかじめ定められた複数の数値から例えば乱数で選択する。また１．１倍などの定率でもよく、１．１倍、１．２倍、１．５倍、２倍などのテーブルから当選後にランダムに選択してもよい。主催者の判断により損益を鑑みきめることができる。
【０１６５】
払戻倍額券処理機能付払戻手段２９は、進呈された払戻倍額券にもとづく払戻要求が行われたとき、的中、不的中、集計処理を行い、払戻金額を含む払戻応答電文を返す。また的中券と払戻倍額券がセットで払戻投入された場合には、的中券の配当金に対する倍率を乗じ、上限が設定されている場合この範囲内かチェックを行って、払戻倍額券処理とともに配当の払戻処理を行うものであり、ホストコンピュータのプログラムの一部である。
【０１６６】
投票券印刷・発券ユニット５５は、客が投票カードに記入した投票券購入事項にもとづき、ホストコンピュータ２からの発券許可により購入すべき投票券を印刷発行するとともに、ホストコンピュータ２の指示にもとづき、図１４（Ｄ）に示す如き、有効期間、払戻倍率等の記入された払戻倍額券を発行するものである。なお図１４（Ａ）〜（Ｄ）に示す投票券、払戻倍額券の２次元バーコードＢＣには、文字、数字で表示された投票券、払戻倍額券としての必要な情報が記入されている。
【０１６７】
端末機４に設けられた投票券・抽選券読み取りユニット５６は、図１４（Ａ）〜（Ｃ）に示す如く、投票券に記入された２次元バーコードＢＣ、あるいは図１４（Ｄ）に示す如く、進呈された払戻倍額券に記入された２次元バーコードＢＣを読み取るものである。
【０１６８】
次に図１５、図１６により、投票カードで投票券を購入し、払戻倍額券が当った場合の、端末ーホストコンピュータ間の電文について説明する。
【０１６９】
例えば通常投票の場合、端末機４からホストコンピュータ２に送出される上り電文は、図１５の如く構成される。上り電文では、ＳＴＸ、上り電文ＡＤのＩＤ、投票、場、年、回、日、レース番号、投票形式、式別１、組番号上１、組番号下１、金額１、組番号上２、組番号下２、金額２、組番号上３、組番号下３、金額３、組番号上４、組番号下４、金額４、ＥＴＸ、ＢＣＣが記入される。
【０１７０】
これに対しホストコンピュータ２から端末機４に送出される下り電文は、図１５に示す如く、ＳＴＸ、下り電文ＲＤのＩＤ、投票、投票券暗証番号、投票券連番号、発券許可フラグ、１行目応答フラグ、２行目応答フラグ、３行目応答フラグ、４行目応答フラグ、合計金額、的中フラグ、有効期間ｙ、ｙ、有効期間ｍ、ｍ、有効期間ｄ、ｄ、倍数１０の位、倍数１の位、倍数０．１の位、倍数０．０１の位、限度金額１、限度金額２、限度金額３、限度金額４、限度金額５、限度金額６、限度金額７、ＥＴＸ、ＢＣＣが記入される。      
【０１７１】
下り電文において、的中フラグが０のとき不的中を示し、３のとき払戻倍額券的中を示す。有効期間は不的中時のとき、「００００００」で的中時はｙｙｍｍｄｄで示される。払戻倍額券の倍数は不的中時は００、００倍であり的中時は倍数１０の位〜０．０１の位までのｘｘ、ｘｘ倍で示される。例えば的中金額の１．２倍の場合は、「０１．２０」で示される。限度金額は不的中時は「０００００００」で、的中時の払戻金「ｘ、ｘｘｘ、ｘｘｘ円」まで倍額払戻が可能であり、例えば５０万円までの場合、「０．５００．０００円」で示される。
【０１７２】
次に図１３に示す端末機４が増額券として払戻倍額券（限度あり）を発券する場合について図１５、図１６、図１７、図１８により、端末機側の動作を説明する。
【０１７３】
Ｓ１．端末機４に電源を投入する。端末機４はホストコンピュータ２より場、年、回、日、出走表など、発売データのオンライン取得を行う。またホストコンピュータ２より発売開始指示を受信する。これにより端末機４は発売開始表示を客用表示器４６に行う。
【０１７４】
Ｓ２．端末機４は、客に現金を投入されたか否かを待つ。
【０１７５】
Ｓ３．現金が投入されたことを紙幣読み取り・つり銭放出ユニット４３、硬貨識別・つり銭放出ユニット４４等で認識すると、端末機４は投票券申し込みカードがあるか否かを投票券申し込みマークカード読み取りユニット４１で検知する。
【０１７６】
Ｓ４．投票券申し込みマークカード読み取りユニット４１がこの存在を認識すると、この投票券申し込みカードの内容を読み取る。そして前記Ｓ１でオンラインで取得した発売データと投票申し込みカードの内容を制御部４８が比較する。
【０１７７】
Ｓ５．投票申し込みカードの内容が発売データの範囲外であれば、制御部４８はこれを客用表示器４６に表示して、客はこれにもとづき客用タッチパネル４７より入力済みデータを修正する。
【０１７８】
Ｓ６．発売データの範囲外でなければ、制御部４８は、前記図１５に示す如き、投票アテンションデータ（上り電文）を作成する。また前記Ｓ５において客が入力データを修正し、発売データの範囲内になった場合も、同様に投票アテンションデータを作成する。
【０１７９】
Ｓ７．そしてこのように作成された投票アテンションデータをホストインターフェース制御手段５０を経由して投票券発売機インターフェース制御装置３に送信し、ホストコンピュータ２に受信される。
【０１８０】
Ｓ８．ホストコンピュータ２では、払戻倍額券進呈抽選機能有効期間決定手段２６が、例えば乱数にもとづき払戻倍額券進呈の抽選を行う。的中すればホストコンピュータ２が図１５に示す如き、下り電文を作成する。このとき的中フラグは「３」が記入される。これが端末機４に受信される。
【０１８１】
Ｓ９．制御部４８では、この下り電文を解読する。そして発券可応答でなければ客用表示器４６でこの発券不可能表示とエラー箇所を表示する。そして前記Ｓ５に戻りタッチパネル４７より入力済みデータの修正を求める。発券可応答であれば制御部４８は投票印刷データを作成する。そして投票券印刷・発券ユニット５５にこの投票券印刷データを渡す。これにより投票券印刷・発券ユニット５５により投票券を印刷し、発券処理を行う。
【０１８２】
Ｓ１０．この下り電文において、払戻倍額券の的中応答があれば、つまり的中フラグが「３」であれば制御部４８は以下の応答を行う。払戻倍額券の的中応答がなければ後述するＳ１２に移る。
【０１８３】
Ｓ１１．すなわち制御部４８は、的中フラグと有効期間等を解読し、図１４（Ｄ）に示す如き、払戻倍額券の印刷データを作成する。そしてこれを投票券印刷・発券ユニット５５に渡す。これにより投票券印刷・発券ユニット５５は、図１４（Ｄ）に示す如き、２次元バーコードＢＣに必要事項が記入された払戻倍額券を印刷し、発券処理を行う。
【０１８４】
Ｓ１２．前記Ｓ１０またはＳ１１による接客処理が終了しなければ、前記Ｓ２を繰り返す。接客処理が終了であれば次のＳ１３に移行する。
【０１８５】
Ｓ１３．接客処理が終了すれば、制御部４８は投票合計金額を計算する。そして客からの入金額と比較し精算処理を行い、つり銭が必要な場合は、紙幣読み取り・つり銭放出ユニット４３、硬貨識別・つり銭放出ユニット４４よりつり銭を放出する。
【０１８６】
Ｓ１４．発売処理が終了すれば端末機４は停止する。終了しなければ前記Ｓ２に戻り、継続する。
【０１８７】
Ｓ１５．前記Ｓ２において投入されたものが現金でなければＳ１６に移行する。
【０１８８】
Ｓ１６．前記Ｓ１５において投入されたものが現金でなければ、制御部４８は投票券・抽選券読み取りユニット５６からの読み取りデータを解読して投票券を読み込んだか否かを判断する。
【０１８９】
Ｓ１７．投票券を読み込んでいれば、投票券データをホストコンピュータ２に送信する。そしてホストコンピュータ２からの投票券の判定データを受信する。
【０１９０】
Ｓ１８．的中券であると判定すれば、制御部４８は払戻金に的中金額を加算し、的中フラグをオンにする。そして投票券の払戻済み処理（穴開け廃券処理）を行う。
【０１９１】
Ｓ１９．前記Ｓ１８において的中券でなければ、投票券返却処理を行う。そして前記Ｓ２に戻る。
【０１９２】
Ｓ２０．払戻投票券の処理が終わり、精算キーが押されたら、制御部４８は払戻金計数指示と、払戻金放出指示を出す。そして紙幣読み取り・つり銭放出ユニット４３、硬貨識別・つり銭放出ユニット４４より払戻金が放出され、客がこれを受取れば前記Ｓ２に戻る。また払戻投票券が残っており、あるいは精算キーが押されていなければ前記Ｓ１６に戻る。
【０１９３】
Ｓ２１．前記Ｓ１６において読み込んだものが投票券でなければ制御部４８は払戻倍額券を読み込んだか否かを識別する。読み込んでいなければ前記Ｓ２に戻る。
【０１９４】
Ｓ２２．払戻倍額券であれば、制御部４８は、払戻倍額券データを、図１６に示す如き形式の上り電文によりホストコンピュータ２に送信する。そしてこれにもとづくホストコンピュータから払戻倍額券の判定データを受信する。
【０１９５】
Ｓ２３．この結果、有効期間外であり、または取扱い外であれば有効期間切れまたは払戻倍額券取扱い外のエラー表示を客に行い、前記Ｓ２に戻る。しかし有効期間内であり、取扱い外でなければ、次の投票券は払戻倍額の適用を行うことを表示する。
【０１９６】
Ｓ２４．そして的中投票券を読み込んだかを判定するため、投票券データをホストコンピュータ２に送信する。そしてホストコンピュータ２から投票券の判定データを受信する。
【０１９７】
Ｓ２５．投票券が的中券でなければ、投票券または払戻倍額券の返却処理を行い、前記Ｓ２に戻る。しかし的中券であれば次のＳ２６に移行する。
【０１９８】
Ｓ２６．的中券であれば、的中金額×購入金額単位＝払戻金額は、払戻倍額券の限度金額以内か（あるいは的中金額／単位金額当たりは払戻倍額券の限度金額以内か）を判断し、限度金額以内であれば、払戻金に、的中金額×払戻倍率（払戻倍額券の倍率）×購入金額単位＝払戻金額を加算する。しかし限度金額を超えていれば、制御部４８は、高額のため、払戻倍額券の適用範囲外であることを、客用表示器４６に表示する。そして払戻倍額券の返却を行う。
【０１９９】
Ｄ．本発明の実施の形態その３の第２の例（払戻投票券データと払戻倍額券データを合わせてホストコンピュータに送信する場合）
前記Ｃは、端末機より客が払戻投票券と払戻倍額券を一緒に投入したときでも端末機で上り電文を別個に作成した場合の例を示したが、この第２の例では端末機より客が払戻投票券と払戻倍額券を一緒に投入したとき端末機で上り電文を一つにまとめて作成し、これをホストコンピュータに送信する場合である。払戻倍額券は払戻投票券と揃ってから処理を行うので、この方が合理的である。
【０２００】
本発明において、増額券が払戻倍額券であって払戻投票券データと払戻倍額券データを合わせてホストコンピュータに送信する場合を図１９、図２０、図２１にもとづき説明する。図１９は端末機とホストコンピュータ間の電文の説明図、図２０、図２１はその端末機側の動作説明図である。
【０２０１】
図１３において、端末機４からホストコンピュータ２に送出される上り電文は図１９の如く構成される。上り電文では、ＳＴＸ、上り電文ＡＤのＩＤ、払戻、場、年、回、日、レース番号、投票形式、式別１、組番号上１、組番号下１、金額１、組番号上２、組番号下２、金額２、組番号上３、組番号下３、金額３、組番号上４、組番号下４、金額４・・・倍額券フラグ、有効期間ｙ、ｙ、有効期間ｍ、ｍ、有効期間ｄ、ｄ、倍数１０の位、倍数１の位、倍数０．１の位、倍数０．０１の位、限度金額１、限度金額２、限度金額３、限度金額４、限度金額５、限度金額６、限度金額７、ＥＴＸ、ＢＣＣが記入される。なお払戻は、この電文が払戻に関するものであるという種別を示すものである。
【０２０２】
これに対しホストコンピュータ２から端末機４に送出される下り電文は、図１９に示す如く、ＳＴＸ、下り電文ＲＤのＩＤ、払戻、判定フラグ、ベット判定１、ベット判定２、ベット判定３、ベット判定４、的中金額１、的中金額２、的中金額３、的中金額４、的中金額５、的中金額６、的中金額７、倍額金額１、倍額金額２、倍額金額３、倍額金額４、倍額金額５、倍額金額６、倍額金額７、ＥＴＸ、ＢＣＣが記入される。
【０２０３】
下り電文において、判定フラグは、「１」は投票券に的中したベットがあることを示し、「２」は投票券のベットが全て不的中であることを示し、「３」はこの投票券は取扱い外であること、投票券の払戻有効期限切れであることを示す。「５」は投票券に的中したベットがあること、倍額払戻券の有効期間内であり、倍額払戻可能であることを示し、「６」は倍額払戻券の有効期間切れのため、倍額払戻券の使用不可であることを示し、「７」は倍額払戻券の取扱い外であることを示し、「Ａ」は払戻金額が高額のため、倍額払戻金の適用は除外したことを示す。
【０２０４】
ベット判定１〜ベット判定４において、「１」はこのベットは的中であることを示し、「２」はこのベットは不的中であることを示す。
【０２０５】
的中金額１〜的中金額７は、的中したベットの購入金額に対する払戻金額を示す。
【０２０６】
倍額金額１〜倍額金額７は、的中したベットの購入金額に対する払戻金額に倍数をかけた金額を示す。
【０２０７】
次にこの第２の例について、図２０、図２１により、端末機側の動作を説明する。
【０２０８】
Ｓ１．端末機４に電源を投入する。端末機４はホストコンピュータ２より場、年、回、日、出走表など、発売データのオンライン取得を行う。またホストコンピュータ２より発売開始指示を受信する。これにより端末機４は発売開始表示を受信する。これにより端末機４は発売開始表示を客用表示器４６に行う。
【０２０９】
Ｓ２．端末機４は、客に現金を投入されたか否かを待つ。
【０２１０】
Ｓ３、現金が投入されたことを紙幣読み取り・つり銭放出ユニット４３、硬貨識別・つり銭放出ユニット４４等で認識すると、端末機４は投票券申し込みカードがあるか否かを投票券申し込みマークカード読み取りユニット４１で検知する。この存在が検知されないと、精算キーが押されたかチェックし、押されていなければ投票券申し込みカードがあるか検知する。
【０２１１】
Ｓ４．投票券申し込みマークカード読み取りユニット４１がこの存在を認識すると、この投票券申し込みカードの内容を読み取る。そして前記Ｓ１でオンラインで取得した発売データと投票申し込みカードの内容を制御部４８が比較する。
【０２１２】
Ｓ５．投票申し込みカードの内容が発売データの範囲外であれば、制御部４８はこれを客用表示器４６に表示して、客はこれにもとづき客用タッチパネル４７より入力済みデータを修正する。
【０２１３】
Ｓ６．発売データの範囲外でなければ、制御部４８は、前記図１５に示す如き、投票アテンションデータ（上り電文）を作成する。また前記Ｓ５において客が入力データを修正し、発売データの範囲内になった場合も、同様に投票アテンションデータを作成する。
【０２１４】
Ｓ７．そしてこのように作成された投票アテンションデータをホストインターフェース制御手段５０を経由して投票券発売機インターフェース制御装置３に送信し、ホストコンピュータ２に受信される。
【０２１５】
Ｓ８．ホストコンピュータ２では、払戻倍額券進呈抽選機能・有効期間決定手段２６が、例えば乱数にもとづき払戻倍額券進呈の抽選を行う。的中すればホストコンピュータ２が図１５に示す如き、下り電文を作成する。このとき的中フラグ「３」が記入される。これが端末機４に受信される。
【０２１６】
Ｓ９．制御部４８では、この下り電文を解読する。そして発券可応答でなければ客用表示器４６でこの発券不可能表示とエラー箇所を表示する。そして前記Ｓ５に戻りタッチパネル４７より入力済みデータの修正を求める。発券可応答であれば、制御部４８は投票印刷データを作成する。そして投票券印刷・発券ユニット５５にこの投票券印刷データを渡す。これにより投票券印刷・発券ユニット３５により投票券を印刷し、発券処理を行う。      
【０２１７】
Ｓ１０．この下り電文において、払戻倍額券の的中応答があれば、つまり的中フラグが「３」であれば、制御部４８は以下の応答を行う。払戻倍額券の的中応答がなければ後述するＳ１２に移る。
【０２１８】
Ｓ１１．すなわち制御部４８は、的中フラグと有効期間等を解読し、図１４（Ｄ）に示す如き、払戻倍額券の印刷データを作成する。そしてこれを投票券印刷・発券ユニット５５に渡す。これにより投票券印刷・発券ユニット５５は、図１４（Ｄ）に示す如き、２次元バーコードＢＣに必要事項が記入された払戻倍額券を印刷し、発券処理を行う。
【０２１９】
Ｓ１２．前記Ｓ１０またはＳ１１による接客処理が終了しなければ、前記Ｓ２を繰り返す。接客処理が終了であれば次のＳ１３に移行する。
【０２２０】
Ｓ１３．接客処理が終了すれば、制御部４８は投票合計金額を計算する。そしてその客から入金額と比較し精算処理を行い、つり銭が必要な場合は、紙幣読み取り・つり銭放出ユニット４３、硬貨識別・つり銭放出ユニット４４よりつり銭を放出する。
【０２２１】
Ｓ１４．発売処理が終了すれば端末機４１は停止する。終了しなければ前記Ｓ２に戻り、継続する。
【０２２２】
Ｓ１５．前記Ｓ２において投入されたものが現金でなければＳ１６に移行する。
【０２２３】
Ｓ１６．制御部４８は、客用タッチパネル４７に設けられている払戻倍額券を利用するタッチパネルのボタンが押されたか否か識別する。
【０２２４】
Ｓ１７．前記Ｓ１６において払戻倍額券を使用するタッチパネルのボタンが押されていなければ、制御部４８は投票券・抽選券読み取りユニット５６からの読み取りデータを解読して投票券を読み込んだか否かを判断する。
【０２２５】
Ｓ１８．投票券を読み込んでいれば、投票券データをホストコンピュータ２に送信する。そしてホストコンピュータ２からの投票券の判定データを受信する。
【０２２６】
Ｓ１９．的中券であると判定すれば、制御部４８は払戻金に的中金額を加算し、的中フラグをオンにする。そして投票券の払戻済み処理（穴開け廃券処理）を行う。
【０２２７】
Ｓ２０．前記Ｓ１９において的中券でなければ、投票券返却処理を行う。そして前記Ｓ２に戻る
Ｓ２１．払戻投票券の処理が終わり、精算キーが押されたら、制御部４８は払戻金計数指示と、払戻金放出指示を出す。そして紙幣読み取り・つり銭放出ユニット４３、硬貨識別・つり銭放出ユニット４４より払戻金が放出され、客がこれを受取れば前記Ｓ２に戻る。また払戻投票券が残っていれば前記Ｓ１７に戻り、精算キーが押されていなければ前記Ｓ３に戻る。
【０２２８】
Ｓ２２．前記Ｓ１６において払戻倍額券を使用するタッチパネルのボタンが押されていれば、制御部４８は払戻倍額券を読み込んだか否かを判断する。読み込んだときは次のＳ２３に移り、読み込んでいないときは後述するＳ３０に移る。
【０２２９】
Ｓ２３．払戻倍額券を読み込んだ場合は払戻倍額券のデータをメモリに記憶する。そして払戻倍額券読み取り済みのフラグを立てる。
【０２３０】
Ｓ２４．このとき的中投票券読み取り済みのフラグがオンであるか否か判断する。オンでなければ次の投票券は払戻倍額の適用を行うことを表示し、後述するＳ３１に移る。
【０２３１】
Ｓ２５．的中投票券読み取り済みのフラグがオンであれば制御部４８は投票券データと払戻倍額券データを合算した図１９に示す如き払戻電文を作成し、ホストコンピュータ２に送信する。
【０２３２】
Ｓ２６．ホストコンピュータ２から投票券と倍額券の判定データを受信する。
【０２３３】
Ｓ２７．これが的中券であれば、すなわち判定が「５」であれば次のＳ２８に移り、的中券でなければ後述するＳ２９に移る。
【０２３４】
Ｓ２８．前記Ｓ２７において的中券であれば倍額払戻の表示、例えば「倍額プレゼント」などを表示する。そして払戻金に倍額金額１〜７のデータを加算する。それから投票券の払戻済み処理（穴開け廃券処理）を行い、また払戻倍額券の払戻済み処理（穴開け廃券処理）を行う。そして前記Ｓ２に戻る。
【０２３５】
Ｓ２９．前記Ｓ２７において的中券でなければ不的中エラー表示を行う。そして投票券及び倍額券を返却する。
【０２３６】
Ｓ３０．前記Ｓ２２において的中投票券を読み込んだ場合、的中投票券のデータをメモリに記録し、的中投票券読み取り済みのフラグを立てる。
【０２３７】
Ｓ３１．このとき払戻倍額券読み取り済みフラグがオンであれば前記Ｓ２５〜Ｓ２９の動作を行う。
【０２３８】
Ｓ３２．しかしオンでなければ次に払戻倍額券の挿入が必要なことを表示する。そして前記Ｓ２２に戻る。
【０２３９】
なお本発明の上記説明は競馬について説明したが、本発明は勿論これに限定されるものではなく、競輪、競艇、オートレース等その他の投票ゲームに適用可能なものである。
【０２４０】
ところでバウチャ券は、ホストコンピュータが投票券の発券要求電文を受け取ると、乱数を発生させて抽選を行い、競馬などの主催者が決定した一定の当選率で的中させる。また的中したバウチャ券の有効期限を設定するため、３ヶ月、あるいは６ヶ月などの有効期日を応答電文に含める機能を持つ。
【０２４１】
バウチャ券の金額は（１）１０００円等の定額とする、（２）１０００円、２０００円、３０００円などのテーブルからランダムに選択する、（３）購入金額相当の金額から選択する、例えば購入金額が１００円などの場合は１００円程度、数万円などの高額の場合はそれに比例した金額のバウチャ券とするなど、収益性や客への人気度・ＰＲなどを鑑みて決める。
【０２４２】
また払戻倍額券の倍率が１．１倍や１．０５倍など低い倍率の場合は損益の面からは問題はないが、２倍や３倍の場合には、馬単、３連単など高額の支払金に対し無制限に倍額をプレゼントするのは損益の関係から好ましくない、そこで損益などを鑑みて主催者の判断で上限金額が決定される。
【０２４３】
当選した払戻倍額券の倍数は、（１）１．１倍など定率とする、（２）１．１倍、１．２倍、１．５倍、２倍などのテーブルから当選後にランダムに選択するなど、損益などを鑑みて決定する。
【０２４４】
前記の説明に関し、以下の構成を付記する。
【０２４５】
（１）ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータにおいて、
客の投票情報にもとづき増額券を抽選する増額券抽選手段と、
前記増額券の増額金額を決定する増額金額決定手段と、
客から前記増額券が端末機に入力されたとき、この増額券が適中券と一緒に使用されたか否かを判定し、一緒に使用されたとき適中券の払戻金額と増額券の増額分を加算処理する払戻処理手段を設けたことを特徴とするホストコンピュータ。
【０２４６】
（２）ホストコンピュータを通信回線を介して端末機と接続し、このホストコンピュータが端末機から伝達された客の投票内容を受信し、発券用データを作成して端末機へ送信して端末機から投票券を発券する投票ゲーム用システムの前記ホストコンピュータにおいて、
客の投票情報にもとづき、バウチャ券を抽選するバウチャ券抽選手段と、
当選したバウチャ券の金額を決定するバウチャ金額決定手段と、
客から当選したバウチャ券が入力されたとき、このバウチャ券が適中した投票券と一緒に使用されたか否かを判定し、一緒に使用されたとき適中券の払戻金額にバウチャ券の金額を加算処理するバウチャ券処理機能付き払戻手段を具備したことを特徴とするホストコンピュータ。
【０２４７】
（３）ホストコンピュータを通信回線を介して端末機と接続し、このホストコンピュータが端末機から伝達された客の投票内容を受信し、発券用データを作成して端末機へ送信して端末機から投票券を発券する投票ゲーム用システムの前記ホストコンピュータにおいて、
客が投票券を購入したことに基づき進呈される進呈抽選券を抽選するとともにこの進呈抽選券の有効期間を決定する抽選券進呈抽選機能付有効期間決定手段と、
前記進呈抽選券が適中券とともに払戻しを求めたとき、前記進呈抽選券により抽選を行う進呈抽選券抽選手段と、
この進呈抽選券抽選手段により抽選で適中したとき前記適中券の払戻金額に応じてバウチャ金額を決定するバウチャ金額決定手段と、
前記バウチャ金額と適中券による払戻金額とを加算処理する抽選券処理機能付払戻手段を具備したことを特徴とするホストコンピュータ。
【０２４８】
（４）ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータにおいて、
客が投票券を購入したことに基づき進呈される、適中券の払戻金額をＮ倍（Ｎは１以上の数）する払戻倍額券を抽選するとともにこの払戻倍額券の有効期間を決定する払戻倍額券進呈抽選機能付有効期間決定手段と、
Ｎ倍された払戻金額の上限を決定する限度金額決定手段と、
前記Ｎの具体的数値を乱数により選択決定する倍数決定手段と、
前記払戻倍数券が適中券とともに払戻を求められたとき、適中券の払戻金額を前記払戻倍額券により定められた倍数の値に増加する払戻処理を行う払戻倍額券処理機能付払戻手段を具備したことを特徴とするホストコンピュータ。
【０２４９】
（５）ホストコンピュータを通信回線を介して端末機と接続し、このホストコンピュータが端末機から伝達された客の投票内容を受信し、発券用データを作成して端末機へ送信して端末機から投票券を発売する投票ゲーム用システムの前記ホストコンピュータに、
客の投票情報にもとづき増額券を抽選する増額券抽選手段と、
前記増額券の増額金額を決定する増額金額決定手段と、
客から前記増額券が端末機に入力されたとき、この増額券が適中券と一緒に使用されたか否かを判定し、一緒に使用されたとき適中券の払戻金額と増額券の増額分を加算処理する払戻処理手段の機能を実現させるためのプログラム。
【０２５０】
（６）ホストコンピュータを通信回線を介して端末機と接続し、このホストコンピュータが端末機から伝達された客の投票内容を受信し、発券用データを作成して端末機へ送信して、端末機から投票券を発売する投票ゲーム用システムの前記端末機において、
客の情報内容を含む電文を作成してホストコンピュータに送信する電文作成手段と、
ホストコンピュータにおける抽選に的中したことにもとづき増額券を発券し、抽選に外れたとき客の投票内容を発券する投票券印刷・発券ユニットを具備したことを特徴とする端末機。
【０２５１】
（７）ホストコンピュータを通信回線を介して端末機と接続し、このホストコンピュータが端末機から伝達された客の投票内容を受信し、発券用データを作成して端末機に送信して、端末機から投票券を発売する投票ゲーム用システムの前記端末機に制御手段を設け、
客の投票内容を含む電文を作成してホストコンピュータに送信し、これにもとづくホストコンピュータにおける抽選に的中したとき増額券を発券し、前記抽選に外れたとき客の投票内容を発券するように制御する制御手段を実現させるためのプログラム。
【図面の簡単な説明】
【０２５２】
【図１】本発明の原理図である。
【図２】本発明における投票券自動発売・払戻兼用装置の構成の一例である。
【図３】投票券及びバウチャ券説明図である。
【図４】本発明に係るバウチャ券が当選した電文の一例（その１）である。
【図５】本発明に係るバウチャ券が当選した電文の一例（その２）である。
【図６】本発明の端末機側の動作フロー（バウチャ券の場合の１）である。
【図７】本発明の端末機側の動作フロー（バウチャ券の場合の２）である。
【図８】本発明における投票券自動発売・払戻兼用装置の構成の一例（その２）である。
【図９】投票券及び抽選券説明図である。
【図１０】本発明に係る抽選券が当選した電文の一例である。
【図１１】本発明の端末機側の動作フロー（抽選券の場合の１）である。
【図１２】本発明の端末機側の動作フロー（抽選券の場合の２）である。
【図１３】本発明における投票券自動発売・払戻兼用装置の構成の一例（その３）である。
【図１４】投票券及び払戻倍額券説明図である。
【図１５】本発明に係る、払戻倍額券が当選した場合の電文の第１の例（その１）である。
【図１６】本発明に係る、払戻倍額券が当選した場合の電文の第１の例（その２）である。
【図１７】本発明の端末機側の動作フロー（払戻倍額券の場合の第１の１）である。
【０２５３】
【図１８】本発明の端末機側の動作フロー（払戻倍額券の場合の第１の２）である。
【図１９】本発明に係る、払戻倍額券が当選した場合の電文の第２の例である。
【図２０】本発明の端末機側の動作フロー（払戻倍額券の場合の第２の１）である。
【０２５４】
【図２１】本発明の端末機側の動作フロー（払戻倍額券の場合の第２の２）である。
【図２２】投票カード説明図である。
【図２３】投票券説明図である。
【図２４】投票券発券・集計システム説明図である。
【図２５】従来の投票券自動発売・払戻兼用装置の一例である。
【図２６】従来の投票時の電文例である。
【符号の説明】
【０２５５】
１  センタ装置
２  ホストコンピュータ
３  投票券発売機インターフェース制御装置
４  端末機
【図１】
2006171844.tif 000003
【図２】
2006171844.tif 000004
【図３】
2006171844.tif 000005
【図４】
2006171844.tif 000006
【図５】
2006171844.tif 000007
【図６】
2006171844.tif 000008
【図７】
2006171844.tif 000009
【図８】
2006171844.tif 000010
【図９】
2006171844.tif 000011
【図１０】
2006171844.tif 000012
【図１１】
2006171844.tif 000013
【図１２】
2006171844.tif 000014
【図１３】
2006171844.tif 000015
【図１４】
2006171844.tif 000016
【図１５】
2006171844.tif 000017
【図１６】
2006171844.tif 000018
【図１７】
2006171844.tif 000019
【図１８】
2006171844.tif 000020
【図１９】
2006171844.tif 000021
【図２０】
2006171844.tif 000022
【図２１】
2006171844.tif 000023
【図２２】
2006171844.tif 000024
【図２３】
2006171844.tif 000025
【図２４】
2006171844.tif 000026
【図２５】
2006171844.tif 000027
【図２６】
2006171844.tif 000028